(57)【要約】【課題】プレパラートから接着剤や染色液等が垂れた場合でも台紙を容易に交換することにより、接着剤等の汚染によってプレパラート観察に支障が生じることのないプレパラート収納マッペを提供する。【解決手段】プレパラートを載置するための載置部３を有する樹脂製の上部材２と、台紙４と、当該台紙４を載置可能な樹脂製の下部材５と、更に必要に応じてカバー６とからなり、下部材５は矩形状広枠５ａの内部に台紙４を載置可能な支持桟５ｂが架設されており、上部材２と下部材５との間に台紙４を挿脱可能であるプレパラート収納マッペ１である。【選択図】図１
2016090842.tif 000002
【特許請求の範囲】
【請求項１】
プレパラートを載置するための載置部を有する上部材と、台紙と、当該台紙を載置可能な下部材と、からなるプレパラート収納マッペであって、
下部材は矩形状広枠の内部に台紙を載置可能な支持桟が架設されており、
上部材と下部材との間に台紙を挿脱可能であることを特徴とするプレパラート収納マッペ。
【請求項２】
更に、カバーを有し、当該カバーはその一端縁で上部材又は下部材の一端縁と蝶着可能なヒンジ部を有すると共に、他端で上部材又は下部材と着脱自在に固定可能な係止部を有しており、
前記上部材に透孔が設けられているとともに、前記カバーには透孔に挿通されて台紙を下部材に押し付けるための押圧突起が設けられていることを特徴とする請求項１に記載のプレパラート収納マッペ。
【発明の詳細な説明】
【技術分野】
【０００１】
本発明は、プレパラート収納マッペに関し、更に詳しくは、プレパラートから接着剤や染色液等が垂れた場合でも台紙を容易に交換することができ、接着剤等の汚染によりプレパラート観察に支障が生じる恐れがないプレパラート収納マッペに関する。
【背景技術】
【０００２】
従来より、病理検査標本等のプレパラートを横方向にならべて載置するために、プレパラート収納マッペ（以後、単にマッペと称することがある）と呼ばれるトレイ状の容器が使用されている。マッペは平たい板にプレパラートが一枚だけ入る大きさの凹部が多数配列されている構造をしたものが多く、多数の標本を同時に処理する場合や、複数の標本を見比べる場合などに使用される。
【０００３】
このようなマッペを利用すれば、スライドガラスを多数広げてそれぞれに病理細胞などの標本を乗せることにより、一度に多数のプレパラートを作成することができる。しかしながら、このような使用をする場合、カバーガラスを接着するための接着剤や標本を染色するための染色液がスライドガラスからこぼれ落ち、マッペの底に垂れることがある。このような場合、こぼれ落ちた接着剤等がプレパラートの裏面に付着したり、試料観察に支障が生じるため、速やかにマッペを綺麗に掃除する必要がある。
【０００４】
この点について、旧来より使用されていた木製のマッペの場合、こびりついた接着剤や染色液を取り除くのは極めて困難なので最近は少なくなっており、近年は樹脂製のマッペ（例えば特許文献１参照）が主流になっている。しかしながら、樹脂製のマッペの場合でも底に垂れた接着剤や染色液等を完全に除去するのは困難で、残った汚れが試料観察の妨げになることがある。
このような汚れを避けるため、格子が付いた木枠の裏面に台紙を貼り付けた、障子戸のような構造のマッペも使用されている。このような格子戸状のマッペは格子の１つのマスに１つのプレパラートを入れて使用され、台紙が汚れた場合には障子紙を張り替えるのと同じやり方で台紙を張り替える。しかしながら、このやり方では接着剤や染色液による汚れは完全に取り除けるものの、台紙を取り除く際に台紙に水を含ませたり、木枠に残った接着剤や台紙の切れ端をこそぎ落としたり、木枠に満遍なく糊付けしたり、シワにならないように気を付けながら新しい台紙を木枠に接着する手間が非常に煩雑である。また、水分の吸収により重量が大きくなり、更には腐食し易くなるので耐久性に問題がある。
【先行技術文献】
【特許文献】
【０００５】
【特許文献１】特許３２６７８００号公報
【発明の概要】
【発明が解決しようとする課題】
【０００６】
本発明は、上記の如き問題を解消し、接着剤や染色液等が垂れた場合でも容易に台紙を交換することができ、従って、プレパラートの汚染により、試料観察に支障が生じる心配がないプレパラート収納マッペを提供するものである。
【課題を解決するための手段】
【０００７】
上記目的を達成するための本発明の特徴は、プレパラートを載置するための載置部を有する上部材と、台紙と、当該台紙を載置可能な下部材と、からなるプレパラート収納マッペであって、下部材は矩形状広枠の内部に台紙を載置可能な支持桟が架設されており、上部材と下部材との間に台紙を挿脱可能であるプレパラート収納マッペである。
【０００８】
本発明の別の特徴は、更に、カバーを有し、当該カバーはその一端縁で上部材又は下部材の一端縁と蝶着可能なヒンジ部を有すると共に、他端で上部材又は下部材と着脱自在に固定可能な係止部を有しており、前記上部材に透孔が設けられているとともに、前記カバーには透孔に挿通されて台紙を下部材に押し付けるための押圧突起が設けられているプレパラート収納マッペである。
【発明の効果】
【０００９】
本発明のプレパラート収納マッペは、上部材と下部材の間に台紙を挿脱可能なので、台紙が汚れた際には下部材と上部材の間から台紙を抜き出すことにより、挿入された台紙を容易に取り外すことができ、且つ下部材と上部材の間に新しい台紙を挿入することも出来るので、汚れた台紙を新しい台紙と取り替えるのが容易である。
【００１０】
カバーを設け、当該カバーと上部材又は下部材を蝶着するように構成した場合は、収容したプレパラートが不意にマッペから外れる事故が防止できる。また、上部材に透孔を設けるとともに、カバーに上部材の透孔を通って台紙を下部材に押し付けるための押圧突起を設ければ、上部材と下部材の間に挿入した台紙が不意にマッペから外れる事故も防止できる。
【図面の簡単な説明】
【００１１】
【図１】図１は本発明のプレパラート収納マッペの一例を示す分解斜視図である。
【図２】図２は上部材の一例を示す平面図である。
【図３】図３（ａ）は上部材の載置部にプレパラートを載架した状態を示す説明図であり、（ｂ）は図３（ａ）のプレパラートの一端側を押えて他端側を浮かせた状態を示す説明図である。
【図４】図４は上部材の他の例を示す平面図である。
【図５】図５は下部材の一例を示す平面図である。
【図６】図６は図５のＡ−Ａ端面図、及びその両端部分の拡大図である。
【図７】図７は下部材の他の例を示す平面図である。
【図８】図８は図７のＢ−Ｂ端面図、及びその両端部分の拡大図である。
【図９】図９はカバーの一例を示す平面図である。
【図１０】図１０はカバーの他の例を示す正面図である。
【図１１】図１１は本発明のプレパラート収納マッペの一例を示す平面図である。
【図１２】図１２（ａ）は図１１におけるＣ−Ｃ断面図であり、（ｂ）は図１２（ａ）の右端部を拡大した部分拡大断面図である。
【図１３】図１３（ａ）は図１１におけるＤ−Ｄ断面図であり、（ｂ）は図１３（ａ）の右端部を拡大した部分拡大断面図である。
【図１４】図１４（ａ）は図１１におけるＥ−Ｅ断面図であり、（ｂ）は図１４（ａ）の左端部（係止部）を拡大した部分拡大断面図であり、（ｃ）は図１４（ａ）の右端部（ヒンジ部）を拡大した部分拡大断面図である。
【図１５】図１５は本発明における係止部の別例を示す説明断面図である。
【図１６】図１６（ａ）（ｂ）は本発明における係止部の更なる別例を示す説明断面図である。
【図１７】図１７（ａ）は本発明のプレパラート収納マッペの別例を示す概略断面図であり、（ｂ）はその右端部を拡大した部分拡大断面図である。
【発明を実施するための形態】
【００１２】
本発明プレパラート収納マッペ１は、図１に示すように、プレパラートを載置するための載置部３を有する上部材２と、台紙４と、当該台紙４を載置可能な下部材５とからなり、好ましくはさらにカバー６を有し、上部材２の載置部３は矩形状長枠３ａの内部にプレパラートを載架可能な支持部３ｂが少なくとも２本架設されており、下部材５は矩形状広枠５ａの内部に台紙４を載置可能な支持桟５ｂが架設されており、上部材２と下部材５との間に台紙４を挿脱可能であることを特徴とする。
【００１３】
本発明で用いる上部材２は、例えば図２に示すように、平板状部材の内部にプレパラートを載置するための載置部３を有する。本発明において、上部材２の材質は樹脂製、金属製、木製等特に制限されないが、成型性、耐水性、軽量性、コストの観点から樹脂製が好ましい。樹脂としては特に限定されないが、具体的には、ポリアセタール樹脂、フッ素樹脂、ポリカーボネート樹脂、ポリアミド（ナイロン）樹脂、ポリエステル樹脂等が挙げられる。また、ポリ乳酸樹脂、ポリブチレンサクシネート、ポリアミド１１、ポリヒドロキシ酪酸等の生分解性プラスチックやバイオマスプラスチック等も使用可能である。
載置部３の矩形状長枠３ａの大きさについては、内部にプレパラートＰを収容可能な大きさであれば特に限定されないが、短辺側がプレパラートＰの長さより僅かに長く、長辺側が上部材２の幅全体に広がる程度の長さとすれば、載置部３内に多数のプレパラートＰを載置できるので好ましく、図２に示した例では前記のような形状の載置部３を上下に２個（２列）設けている。無論、載置部３を１個（１列）でも２個以上の多数個（多数列）設けてもよい。
更に、各列において、プレパラートを１枚づつ収容できるように仕切枠３ｃを設けてもよい。仕切枠３ｃは矩形状長枠３ａの幅いっぱいに設けることもできるが、図２に示したように支持部３ｂの上に突起状に設けるのがシンプルで好ましい。
【００１４】
本発明において、載置部３は上部材２内に設けられ、好ましくは、矩形状長枠３ａの内部に支持部３ｂが少なくとも２本架設されたものであり、図３（ａ）に示したように、プレパラートＰが２本の支持部３ｂの上に載架可能なように構成されている。支持部３ｂの位置は載置部３の内部でプレパラートＰを載架出来る限り特に限定されないが、少なくとも載置部３にプレパラートＰを載置した高さが、矩形状長枠３ａを形成する外周枠や仕切枠の高さより低くする必要がある。また、矩形状長枠３ａの端縁３ａ１と支持部３ｂの間に、指を挿入可能な程度の空間３ａ２が形成されるように支持部３ｂを設ければ、収納されたプレパラートＰを取り出しやすくなるので好ましい。
即ち、図３（ｂ）に示したように、指を挿入可能な空間３ａ２が矩形状長枠３ａの端縁３ａ１と支持部３ｂの間に形成されている場合、プレパラートＰを当該空間３ａ２の上から矢示したように押えれば、他端側が持ち上がるので、その持ち上がった部分を把持することにより、プレパラートＰを容易に取り出すことができる。
なお、図２、図３に示した例において、矩形状長枠３ａの両方の端縁３ａ１に指を挿入可能な空間３ａ２が形成されているがこれに限定されず、片方の端縁３ａ１だけに空間３ａ２を設けることもできる。
【００１５】
また、図４に示すように、上部材２には透孔２ａを設けることもできる。この透孔２ａは後述のカバー６に設けられる押圧突起６ｆが挿通される孔である。この透孔２ａの位置はカバー６の押圧突起６ｆが挿通される限り特に限定されないが、この押圧突起６ｆが好適に台紙４を押圧して台紙４の脱落を防ぐことができるように、４隅付近や各辺の中点付近に透孔２ａを設けるのが好ましい。
【００１６】
本発明における台紙４はシート状部材であって、上部材２の下に配置される。台紙４は、プレパラートＰの観察の妨げになるような模様等が付されていないのが好ましいが、プレパラートＰの観察の妨げにならない位置（例えば仕切枠の下や裏面等）に、位置決めのための目印や模様等を付してもよい。
台紙４の材質は特に限定されず、無発泡又は発泡樹脂フィルムやシート、織布、不織布、紙等が挙げられるが、安価且つ軽量で、こぼれた薬液の吸収性も良い点で紙製が好ましい。
【００１７】
本発明で用いる下部材５は、例えば図５に示すように、内部に矩形状広枠５ａが設けられると共に、当該矩形状広枠５ａの内部に台紙４を載置可能な支持桟５ｂが架設された構造からなる。下部材５の材質も上部材２と同様でよく、樹脂製が好ましい。
矩形状広枠５ａの内部には支持桟５ｂが架設され、この支持桟５ｂの上に台紙４が載置されるように構成される。図５に示した例において、支持桟５ｂは下部材５の中央から放射状に形成されているがこれに限定されず、例えば、矩形状広枠５ａの短辺又は長辺と平行に川の字状に架設してもよいし、又は格子状に架設してもよい。このように構成すれば、軽量化されるばかりでなく、支持桟５ｂの隙間から指を挿入することにより支持桟５ｂ上の台紙を容易に取り除くことができるので好ましい。
【００１８】
本発明で用いる下部材５には、台紙４を側面方向から挿脱するための挿脱口５ｇが設けられる。挿脱口５ｇは底辺が支持桟５ｂと面一で、側辺の長さ（挿脱口５ｇの幅）が台紙の幅よりも広い限り特に限定されないが、図５及び図６に示すような長孔状（底辺、天辺、左右の側辺に囲まれた形状）であってもよいし、図７及び図８に示すような長溝状（底辺、左右の側辺からなり、天辺がない形状）であってもよい。
【００１９】
本発明においては、収容されたプレパラート等が容易に脱落しないように、上部材２の上面を覆うカバー６を設けることができる。このカバー６は上部材２や下部材５と同様、樹脂製が好ましいが、カバー６が閉じた状態でプレパラート等を観察できるように、透明樹脂製とするのが一層好ましい。
カバー６の構造は特に限定されないが、例えば図９に示したような、一端縁に上部材２又は下部材５の一端縁と蝶着可能なヒンジ部６ａを設けると共に、他端に上部材２又は下部材５と着脱自在に固定可能な係止部６ｂを設けた係止機構を例示できる。このような係止機構とすれば、係止部６ｂの係合を着脱してヒンジ部６ａを中心にカバーを回動させる（図１４（ｃ）参照）ことにより、容易にカバー６を開閉することができる。
【００２０】
本発明における係止機構としては、カバー６を上部材２又は下部材５に係止できる限り特に限定されないが、例えば、図１４（ｂ）に示すように、カバー６に設けた略Ｕ字状の係止部６ｂと、下部材５に前記略Ｕ字状の係止部６ｂと係合可能な係止溝５ｃ及び該係止溝５ｃ内に設けた係止突起５ｄとからなるものが例示できる。
このような係止機構を用いれば、略Ｕ字状の係止部６ｂが下部材５の係止溝５ｃ内に設けた係止突起５ｄに係合するため、該係止部６ｂの略Ｕ字状の部分の形状変形により容易に係合を解くことができ、片手でカバー６を下部材５から簡単に且つ安定的に分離させることができる。
尚、図１４（ｂ）ではＵ字状係止部６ｂの剛性を低下させ、撓み変形力を大きくし、小さな力で矢示したように端縁部を押してＵ字状部を変形できるように透孔６ｅを設けているが、省略しても差し支えない。また、図１４（ｂ）に示すように、カバー６の指を掛ける部分に滑り止め用突状部６ｄを設けることができる。図１４（ｃ）は、ヒンジ部６ａ付近の部分拡大断面図である。
【００２１】
他の係止機構としては、図１５に示すような、下部材５に設けられた係止突起５ｄと、カバーに設けられ前記係止突起５ｄと係合する舌片状の係止部６ｂからなり、係止突起５ｄと係止部６ｂが係合した状態で係止部６ｂを押圧するための押さえ部５ｅからなる構造が例示できる。
この構造において、押さえ部５ｅは下部材５に軸支されるとともに付勢手段（図示せず）によって上端部が係止部６ｂを押圧するように付勢されている。従って、係止突起５ｄと係止部６ｂが係合した状態では不意に係合が外れることがない。また係止突起５ｄと係止部６ｂを係脱させる際には付勢手段の付勢力に抗して押さえ部５ｅを回動させ、下部材５と押さえ部５ｅとの隙間を押し広げるようにする。
【００２２】
係止機構の更なる例としては、図１６に示すように、下部材５に設けられた係止突起５ｄと、カバー６に設けられ前記係止突起５ｄと係合する舌片状の係止部６ｂからなり、係止部６ｂと係止突起５ｄの係合を外すための押し上げ部５ｆを備えた構造が例示できる。
この構造において、押し上げ部５ｆは下部材５に軸支されており、カバー６が閉じた状態では、図１６（ａ）に示すように、押し上げ部５ｆの上面内縁の部分がカバー６の外縁によって押さえられている。カバー６を開くには、図１６（ｂ）に示すように、押し上げ部５ｆを回動させることにより、押し上げ部５ｆの上面内縁の部分でカバー６を押し上げ、舌片状の係止部６ｂの弾性変形により係止部６ｂと係止突起５ｄの係合を外す。
【００２３】
本発明においては、図１０に示すように、カバー６に押圧突起６ｆを設けることができる。前述の通り、押圧突起６ｆは上部材２の透孔に挿通されて、台紙４を動かないように抑えるための部材である。押圧突起６ｆの位置及び数は特に限定されないが、台紙４の隅の部分に１個づつ、又は台紙４の四辺中央付近に一個づつ設けるのが好ましい。
【００２４】
図２に記載の上部材２、台紙４、図５に記載の下部材５、図９に記載のカバー６を組み合わせてなる本発明のプレパラート収納マッペ１を図１１に示す。但し、本例においてカバー６は透明樹脂製なので、上部材２、台紙４、下部材５が、カバーを透かして見えている。上部材２と下部材５は間に隙間を開けて固定されるとともに、台紙４は上部材２と下部材５の間に挿脱可能とされており、例えば、使用中に台紙４が汚れた場合には、上部材２と下部材５の間から引き抜くことにより台紙４を容易に取り外せるようになっている。なお、図１１に示した例では下部材５の矩形状広枠５ａの内部に上部材２が嵌まり込む形状になっているが、本発明においてはこれに限定されず、上部材２と下部材５の間に台紙４を挟着できる構造であれば、どのような構造でも採用できる。
【００２５】
本発明では、図１１に示したように、カバー６の係止部６ｂの両側に切欠き部６ｃを設けることができる（図１、図９も参照）。このようにすれば、閉じられたカバー６を開く際に、片手でカバー６の係止部６ｂを操作しながら、もう一方の手で切欠き部６ｃの下の上部材２又は下部材５を指で押えることができ、これにより、係止部６ｂを操作しやすくなる。また、カバー６を上方に開く際に上部材２又は下部材５が随伴して、カバー６が開き難くなったり、随伴した上部材２又は下部材５が落下して収容したプレパラートが揺動して損傷するようなトラブルが防止できる。
【００２６】
本発明においては、例えば図１２（ｂ）に示すように、上部材２又は下部材５の上面にカルテ位置規制部８を立設することができる。カルテ位置規制部８の位置は上部材２又は下部材５の上面で、上側から観察できる位置である限り特に限定されず、上部材２又は下部材５の形状やカルテの大きさ（通常はＡ４）に応じて適宜決定すればよい。図１２に示したマッペ１において、カルテ位置規制部８は下部材５の上面に設けられているが、必要に応じ、上部材２にカルテ位置規制部８を設けてもよい。
【００２７】
本発明においては、図１３（ｂ）に示したように、積み重ね用の凹部又は凸部９を設けてもよい。このように積み重ね用の凹部又は凸部９を設けることにより、本発明のマッペ１を多数保管する場合や移動、運搬する場合に、不意に積み重ねたマッペ１が崩れ落ちたり、滑り落ちたりすることがなくなり、安全且つ容易に保存や、移動、運搬ができる。
積み重ね用の凹部又は凸部９の形状については、図１３（ｂ）に示した例では、下部材５の底面周縁部に円筒状の凸部９が設けられ、カバー６の上面周縁部に前記凸部９と係合する凹部９が設けられているがこれに限定されず、凹部９と凸部９が係合することにより横ズレを防ぐことができる位置、形状であれば、どのようなものでも採用できる。
また、カバー６を用いない場合には、上部材２と下部材５のいずれに積み重ね用の凹部又は凸部９を設けてもよい。
【００２８】
本発明においては、上部材２と下部材５が不意に外れないようにするため、固着部７を設けることができる。固着部７の構造は特に限定されないが、図１３に示したように、下部材５の中に上部材２が嵌入する構造にした場合は、下部材５の内側と上部材２の外側に互いに係合する凹凸を設ける構造が例示できる。
【００２９】
本発明において、上部材２及び下部材５を傾けると、台紙４が上部材２と下部材５の間から抜け落ちる場合があるが、このような抜け落ちは、例えば図４に示すように上部材２に透孔２ａを設けるとともに、例えば図１０に示すようにカバー６に押圧突起６ｆを設けることにより防ぐことができる。なお、これらの上部材２及びカバー６を用いたマッペを図１７に示す。
図１７（ｂ）に示すように、カバー６を閉じると押圧突起６ｆが上部材２の透孔２ａに挿通されて、台紙４を押圧し、台紙４が下部材５に押し付けられるので、台紙４の抜け落ちが防止される。
【産業上の利用可能性】
【００３０】
叙上のとおり、本発明のプレパラート収納マッペは、接着剤や染色液等が垂れた場合でも容易に台紙を交換することができる。従って、本発明のプレパラート収納マッペは、接着剤や染色液等の汚染により試料観察が妨げられるといったトラブルがなく、極めて有用性が高いものである。
【符号の説明】
【００３１】
１  プレパラート収納マッペ
２  上部材
２ａ  透孔
３  載置部
３ａ  矩形状長枠
３ａ１  端縁
３ａ２  空間
３ｂ  支持部
３ｃ  仕切枠
４  台紙
５  下部材
５ａ  矩形状広枠
５ｂ  支持桟
５ｃ  係止溝
５ｄ  係止突起
５ｅ  押さえ部
５ｆ  押し上げ部
５ｇ  挿脱口
６  カバー
６ａ  ヒンジ部
６ｂ  係止部
６ｃ  切欠き部
６ｄ  滑り止め用突状部
６ｅ  透孔
６ｆ  押圧突起
７  固着部
７ａ  台紙止め構造
７ａ１  固定用突起
７ａ２  突起受け
８  カルテ位置規制部
９  積み重ね用の凹部又は凸部
Ｐ  プレパラート
【図１】
2016090842.tif 000003
【図２】
2016090842.tif 000004
【図３】
2016090842.tif 000005
【図４】
2016090842.tif 000006
【図５】
2016090842.tif 000007
【図６】
2016090842.tif 000008
【図７】
2016090842.tif 000009
【図８】
2016090842.tif 000010
【図９】
2016090842.tif 000011
【図１０】
2016090842.tif 000012
【図１１】
2016090842.tif 000013
【図１２】
2016090842.tif 000014
【図１３】
2016090842.tif 000015
【図１４】
2016090842.tif 000016
【図１５】
2016090842.tif 000017
【図１６】
2016090842.tif 000018
【図１７】
2016090842.tif 000019